(57)【要約】      （修正有）【課題】冷却効果を向上させたアダプターを提供する。【解決手段】本考案に係る冷却層を有するアダプター１は、大電流を流される電化製品を扱う作業環境において適用され、当該アダプターの片側又は両側に冷却ファンが設けられ、当該冷却ファンがアダプターの少量の電源によって作動されてアダプターに対して冷却させ、且つ当該アダプター内にある熱伝導ロッド１６に冷却効果を高めるためのエンボス冷却層１５１が取り付けられている。よって、当該アダプターの高温による劣化を防ぐことができるため、製品の安定性を保ちつつ、製品の寿命も延長され、且つ作業環境災害を低減させることができる。【選択図】図６
0003232852.tif 000002
【実用新案登録請求の範囲】
【請求項１】
大電流を扱う環境において適用され、
アダプターと、
冷却ファンと、
回路板とを含み、
前記アダプターの片側又は両側には前記冷却ファンが設けられ、
前記冷却ファンは前記アダプターの少量の電源によって作動されて前記アダプターに対して冷却させ、
前記アダプターの内部中央には前記回路板を含み、
前記回路板が前記電源の出力端に向かう方向には上部熱伝導ロッドを有し、
前記回路板が前記電源の入力端に向かう方向には下部熱伝導ロッドを有する
ことを特徴とする冷却層を有するアダプター。
【請求項２】
前記電源の出力端に向かう方向にある前記上部熱伝導ロッドに取り付けられ、且つ折り目を含有する粗化面を有するエンボス冷却層をさらに含む
ことを特徴とする請求項１に記載の冷却層を有するアダプター。
【請求項３】
前記電源の前記入力端に向かう方向にある前記下部熱伝導ロッドに取り付けられ、且つ折り目を含有する粗化面を有するもう一つのエンボス冷却層をさらに含むことを特徴とする請求項２に記載の冷却層を有するアダプター。
【請求項４】
前記冷却ファンは、交流ファンであることを特徴とする請求項３に記載の冷却層を有するアダプター。
【請求項５】
前記アダプターと前記冷却ファンの間には、直流ファンを使用するための整流器が設けられていることを特徴とする請求項３に記載の冷却層を有するアダプター。
【請求項６】
前記アダプターは、一方の端にプラグが設けられ、且つ他方の端にレセプタクルが設けられており、
複数個の前記アダプターが直列に連結して使用できるように、前記プラグと前記レセプタクルとの間には電気的に接続されていることを特徴とする請求項４又は５に記載の冷却層を有するアダプター。
【請求項７】
前記アダプターは、一方の端にプラグが設けられ、且つ他方の端に出力線が設けられており、
前記出力線は、電流を出力して電化製品に使用させるために用いられることを特徴とする請求項４又は５に記載の冷却層を有するアダプター。
【請求項８】
前記アダプターは、一方の端に入力線が設けられ、且つ他方の端にレセプタクルが設けられており、
前記入力線は、電源を導入するために用いられ、且つ前記レセプタクルによって出力することを特徴とする請求項６に記載の冷却層を有するアダプター。
【請求項９】
前記プラグ又は前記レセプタクルは、二つ又は二つ以上の電源を入れさせるピンを有することを特徴とする請求項８に記載の冷却層を有するアダプター。
【請求項１０】
前記大電流を扱う環境とは、負荷側自体が発熱するところであることを特徴とする請求項９に記載の冷却層を有するアダプター。
【請求項１１】
前記負荷側自体は、前記負荷側のピンを介して内から外へ熱を前記アダプターに伝達することを特徴とする請求項１０に記載の冷却層を有するアダプター。
【考案の詳細な説明】
【技術分野】
【０００１】
本考案は、冷却層を有するアダプターの構造に関し、特に、内部熱伝導ロッドにエンボス冷却層が設けられたアダプターに関するものである。
【背景技術】
【０００２】
大電流を使用する一部の作業環境において、通常、アダプターは継続的な電力使用をするため、電力消費量が多いだけでなく、アダプターの休息時間も少ない。このような作業環境では、アダプターは必然的に高熱の影響を受け、安全性への懸念が生じる。当該アダプターは、大電流を継続的に供給する必要があるため、製品の安全性と寿命の向上とが可能なように、耐熱性を有する高価格の材料が使用されている。しかし、上記のように持続的な高温下の影響により、従来の大電流アダプターはすぐに破壊されることはないが、長時間の高温による炭化、変色又は劣化等という現象が予想される。時間が経つと、結局、当該アダプターの損壊に至る。アダプター自身の損壊は小さいことであるが、それによる仕事の停滞の損失、さらに火災事故の損失などを見積もるのは難しいことである。
上記の問題に対し、本考案の発明者などは、台湾特許第Ｍ３０２２３９号と実用新案登録第３１３３３３６号と米国特許７４４６７３号のような冷却ファンを有するアダプターを採用し、様々な実験を繰り返した結果、デザイン及びパフォーマンスのより良いバランスの設計を執ることができ、大電流アダプターのユーザーにより良い選択肢を提供することができる。
しかし、当該大電流アダプターを長時間使用すると、該アダプター内にある熱伝導ロッドはやはり相当の高温になるため、製品としては改善の余地がある。上記に鑑みて、本考案は、当該アダプター内の熱伝導ロッドにエンボス冷却層を追加し、該アダプターの冷却効果をさらに向上させることを課題とする。
【考案の概要】
【０００３】
本考案の主な目的は、大電流の作業環境で継続的に使用できるようにするとともに、アダプターの正常運転を確保して、スムーズな作業及び安全な作業環境を維持することができる冷却ファンとエンボス冷却層が設けられた熱伝導ロッドとを有するアダプターを提供することである。
本考案のもう一つの目的は、長時間の使用でも劣化や変色をせずに、製品の安定性を維持しつつ寿命を延ばすことができるアダプターを提供することである。
上記の本考案の目的を達成することができる冷却ファンとエンボス冷却層が設けられた熱伝導ロッドとを有するアダプターは、大電流の作業環境、例えば大型工場などに適用される。なお、大型工場などの電流の使用量は驚くほど多いので、アダプターの端部に高温が生じやすく、少なくともアダプターを炭化、変色又は劣化させ、最悪の場合、アダプターが焼損してしまい、作業に影響を与え、さらに漏電や火災などの事故を引き起こす。上記のリスクを回避するため、本考案に係るアダプターは、その片側又は両側に冷却ファンが設けられ、当該冷却ファンがアダプターの僅かな電力によって作動され、アダプターを冷却させ、且つ当該アダプター内にある熱伝導ロッドに冷却効果を高めるためのエンボス冷却層が取り付けられている。よって、当該アダプターの高温による問題を防ぐことができるため、作業の安定性を保ちつつ、作業の安全性を確保することもできる。
【図面の簡単な説明】
【０００４】
【図１】本考案に係るアダプターを示す斜視図である。
【図２】本考案に係るアダプターの他の方向を示す斜視図である。
【図３】本考案に係るアダプターの内部の基本構造を示す図である。
【図４】本考案に係るアダプターの内部の基本構造を示す平面図である。
【図５Ａ】本考案に係る熱伝導ロッドの基本構造を示す図である。
【図５Ｂ】本考案に係るエンボス冷却層が取り付けられた上部熱伝導ロッドを示す模式図である。
【図５Ｃ】本考案に係るエンボス冷却層が取り付けられた上部熱伝導ロッド及び下部熱伝導ロッドを示す模式図である。
【図６】本考案に係るアダプターの内部においてエンボス冷却層が取り付けられた上部熱伝導ロッドを示す模式図である。
【図７】本考案に係るアダプターの内部においてエンボス冷却層が取り付けられた上部熱伝導ロッドを示す平面図である。
【図８】本考案に係るアダプターの内部においてエンボス冷却層が取り付けられた上部熱伝導ロッド及び下部熱伝導ロッドを示す模式図である。
【図９】本考案に係るアダプターの内部においてエンボス冷却層が取り付けられた上部熱伝導ロッド及び下部熱伝導ロッドを示す平面図である。
【図１０】本考案に係るアダプターと負荷とを接続する例を示す図である。
【考案を実施するための形態】
【実施例】
【０００５】
まず、図１乃至図２に示すように、本考案は、大電流を扱う環境において適用される冷却ファン２を有するアダプター１である。当該アダプター１は、一方の端にプラグ１１が設けられ、且つ、他方の端にレセプタクル１２が設けられている。当該プラグ１１と当該レセプタクル１２との間には、例えば導電性の良い材料を用いて電気的に接続されている。本考案の主な構成について、当該アダプター１の片側又は両側には冷却ファン２が設けられ、当該冷却ファン２はアダプター１の少量の電力によって作動される。当該アダプター１が電源に接続されると、当該冷却ファン２がアダプター１の内部を換気させるため、当該アダプター１の内部の熱を低下することができ、冷却の機能を達することができる。したがって、当該アダプター１は、発熱が低減されることによって使用寿命が延び、大電流を扱う作業環境に適しており、作業での安定性と安全性とを維持することができる。また、当該アダプター１は、直列に連結して使用することができる。すなわち、高温が生じる一般的なプラグとレセプタクルとに対して、当該アダプター１を当該プラグとレセプタクルとの間に直列に連結する構成にすることによって、当該冷却ファン２から熱を排出することができ、冷却効果を有する。
上記の冷却ファン２は、直流ファンまたは交流ファンであってもよい。直流電源を用いる冷却ファン２の場合、当該アダプター１と冷却ファン２との間には、既知の整流器が設けられてもよい。当該アダプター１に接続された交流電源が整流された後、冷却ファン２に出力される。また、当該アダプター１の構成に合わせて、アダプター１は、一方の端に電源の入力線が直接に設けられ、且つ、他方の端にレセプタクル１２が設けられてもよい。当該入力線は、電源を導入するために用いられ、且つ、当該レセプタクル１２によって出力される。これにより、当該アダプター１は、他の電化製品を挿入設置することができるための電源ソケットの構造に構成されている。同様に、当該アダプター１は、一方の端にプラグ１１が設けられ、且つ、他方の端に出力線が設けられてもよい。当該出力線は、電流を出力して他の電化製品に使用させるために用いられる。これにより、当該アダプター１を、直接、電化製品の電源プラグとすることができる。それは当該アダプター１のプラグ１１のピンの数が２本である場合、通常のプラグの２本のピンと同じであるためである。また、レセプタクル１２のジャックの数が２つの穴である場合、通常のレセプタクルの２つの穴と同じであるためである。
なお、本考案では、プラグ１１又はレセプタクル１２のピンの数及びサイズは限定されないが、例えば、図１、図２に示すように、プラグ１１とレセプタクル１２とのピンの数は、それぞれ６本にしてもよい。勿論、他の数またはサイズの変更も、本考案に含まれている。
また、図３、図４は、本考案に係るアダプター１の内部の構造示す図である。当該アダプター１の内部中央には、回路板１４（当該回路板１４内の回路について、ここでは省略する）を含む。当該回路板１４が電源の出力端に向かう方向には上部熱伝導ロッド１５を有し、当該回路板１４が電源の入力端に向かう方向には下部熱伝導ロッド１６も有する。当該上部熱伝導ロッド１５及び下部熱伝導ロッド１６について、図５Ａに示すように、上部熱伝導ロッド１５の内縁の内側は、他の電子製品のピンを挿設させるためのジャックであり、下部熱伝導ロッド１６は、他の電子製品のジャック内に挿入設置することができる当該アダプター１のピンである。
また、図６、図７は本考案に係る一つの実施形態である、アダプターの内部においてエンボス冷却層が取り付けられた上部熱伝導ロッドを示す模式図である。電源の出力端に向かう方向にある上部熱伝導ロッド１５が電源の入力端に向かう方向にある下部熱伝導ロッド１６よりも高温（大電流による）となることが多いため、当該電源の出力端に向かう方向にある上部熱伝導ロッド１５には、図５Ｂに示すようなエンボス冷却層１５１が取り付けられている。当該エンボス冷却層１５１は、折り目のある粗化面を有することにより空気との接触面を増大させる原理によって、その内部の上部熱伝導ロッド１５が熱を効率的に拡散させることができるため、高電圧、高温、大電流で電気的に接続されている環境においても、良好な冷却効果を有する。
図８、図９は、本考案に係る他の実施形態のアダプターの内部においてエンボス冷却層が取り付けられた上部熱伝導ロッド及び下部熱伝導ロッドを示す模式図である。より優れた冷却効果を達成するために、電源の入力端に向かう方向にある下部熱伝導ロッド１６にも図５Ｃに示すようなエンボス冷却層１５１、１６１が取り付けられている。
本考案に係るアダプター１は、特に発熱する負荷装置に使用される。当該負荷装置は、当該装置のピンを介して内側から外側に、当該アダプター１に熱を伝達する。当該アダプター１内のエンボス冷却層１５１、１６１は、良好な冷却効果を達成することができる。図１０は、当該アダプター１と発熱する負荷１３とを接続する例を示す図である。
【符号の説明】
【０００６】
１  アダプター
２  冷却ファン
１１  プラグ
１２  レセプタクル
１３  負荷
１４  回路板
１５  上部熱伝導ロッド
１６  下部熱伝導ロッド
１５１  エンボス冷却層
１６１  エンボス冷却層
【図１】
0003232852.tif 000003
【図２】
0003232852.tif 000004
【図３】
0003232852.tif 000005
【図４】
0003232852.tif 000006
【図５Ａ】
0003232852.tif 000007
【図５Ｂ】
0003232852.tif 000008
【図５Ｃ】
0003232852.tif 000009
【図６】
0003232852.tif 000010
【図７】
0003232852.tif 000011
【図８】
0003232852.tif 000012
【図９】
0003232852.tif 000013
【図１０】
0003232852.tif 000014